(57)【要約】【課題】掛けひもの取り付け作業が容易なマスク。【解決手段】マスクが、掛けひも３を被覆部に取り付けるための取り付け手段４を有する。取り付け手段４は、四角形の透孔２１を形成している保持枠部１４と、透孔２１に挿入されたときに保持枠部１４と協働して掛けひも３を被覆部に取り付けることのできるブロック部１２とからなる。ブロック部１２は、透孔２１に挿入されたときに、透孔２１から突出する掛けひも案内部と、透孔の内側に位置する台座部とを有する。案内部は、基端部がかけひも３の幅にほぼ等しい間隔の一対の案内壁２２を有し、ブロック部１２は、透孔２１の近傍において保持枠部１４を前後方向から挟むことのできる一対の側面部と、透孔２１の周壁との間に掛けひも３を介在させることができる一対の側面部とを有する。【選択図】図２
2006346269.tif 000002
【特許請求の範囲】
【請求項１】
鼻腔と口許とを覆うことが可能でありフィルター機能を有する被覆部と、頭部および耳部のいずれかに掛け回すための掛けひもと、前記掛けひもを前記被覆部に取り付けるための取り付け手段とを有するマスクであって、
前記取り付け手段が、四つの内角それぞれが直角である四角形の透孔を形成していて前記被覆部に設けられている保持枠部と、前記保持枠部とは別体を成しており前記被覆部の内側から外側へ向かう方向において前記透孔に挿入されると前記保持枠部と協働して前記掛けひもを前記被覆部に取り付けることが可能な挿入用ブロック部とからなり、
前記保持枠部は、前記透孔を画成して互いに直交する二組の対向周壁を有するとともに、前記透孔の周囲に所要の厚さを有しており、
前記挿入用ブロック部は、前記透孔に挿入されたときに前記透孔から前記被覆部の外側に向かって突出する掛けひも案内部と、前記透孔の内側に位置する台座部とを有し、
前記案内部は、前記台座部から前記外側に向かって突出するとともにその突出する方向に直交して一方向へ延びる一対の案内壁を有し、一対の前記案内壁は突出する基端部分において前記掛けひもの幅にほぼ等しい間隔を有する一方、前記外側に向かった先端部分が前記基端部分の前記間隔よりも小さい間隔で離間するように形成されており、
前記台座部は、一対の前記案内壁が対向する方向において互いに離間するとともに、前記案内壁における前記一方向へ延びる一対の横向きの溝を有し、前記溝のそれぞれが、前記保持枠部における前記二組のうちの一方の組を成す前記対向周壁のそれぞれと向かい合うように形成された底面部と、前記所要の厚さを有する前記周壁それぞれの近傍を前記被覆部の内外方向から挟むことが可能な互いに対向する一対の側面部とを有し、一対の前記溝の前記底面部間の寸法が前記底面部と向かい合う前記周壁どうしの間の寸法とほぼ同じに形成されており、前記台座部における前記一方向の寸法が、前記二組のうちのもう一方の組を成す前記対向周壁のそれぞれと前記台座部との間に前記掛けひもを介在させ得るように前記もう一方の組を成す前記周壁間の寸法よりも小さく形成されていることを特徴とする前記マスク。
【請求項２】
前記透孔が正方形であるとともに、前記台座部が長方形であって、前記長方形における短辺が前記案内壁における前記一方向に平行している請求項１記載のマスク。
【請求項３】
前記透孔とそれに挿入される前記ブロック部とは、前記ブロック部を前記透孔の周方向へ回転させることによって前記掛けひもを頭部および耳部のいずれにも掛け回すことを可能にする請求項２記載のマスク。
【請求項４】
前記透孔と前記台座部とが長方形である請求項１記載のマスク。
【請求項５】
前記保持枠部と前記ブロック部とのうちの少なくとも一方は、前記ブロック部が挿入される際に弾性変形する請求項１〜３のいずれかに記載のマスク。
【請求項６】
前記ブロック部が前記透孔に対して挿入抜脱可能なものである請求項１〜５のいずれかに記載のマスク。
【発明の詳細な説明】
【技術分野】
【０００１】
この発明は、頭部および耳部のいずれかに掛け回すための掛けひもを備えたマスクに関する。
【背景技術】
【０００２】
従来、頭部および耳部のいずれかに掛け回すための掛けひもを備えたマスクは周知である。例えば、特表２００１−５１１４１０号公報（Ｐ２００１−５１１４１０Ａ、特許文献１）に開示されたフィルタリングフェイスマスクは首および頭部に掛け回すための１本または２本のストラップ（掛けひも）を有する。掛けひもは、コネクタを介してマスク本体に取り付けられている。コネクタは、透孔であるストラップ受容部分とヒンジと歯先とを含み、ストラップの先端を受容部分に挿入した後に、歯先をストラップに係合させることによって、ストラップの所要の部位をコネクタに固定することができる。
【特許文献１】特表２００１−５１１４１０号公報
【発明の開示】
【発明が解決しようとする課題】
【０００３】
特許文献１に開示のフィルタリングフェイスマスクでは、マスク本体に掛けひもを取り付けるときに、掛けひもであるストラップの先端をコネクタの透孔に挿入する。ところが、掛けひもは肌に接触するものであるから、一般的に柔軟なものが好まれる。コネクタ等の取り付け手段もまた、肌に接触する可能性のあるものであるから、極力小さなものにすることが好まれ、さらには、透孔の形状も掛けひもの断面の大きさに比べてあまり大きくしないことが好まれる。その結果として、掛けひもを透孔に挿入する作業は、手間のかかるものになる。一般に単価が安い使い捨てマスクの場合に、そのような手間によるコストへの影響は無視することができない。
【０００４】
そこでこの発明では、掛けひもの取り付け作業を容易にすることができるように、従来のマスクに改良を加えることを課題にしている。
【課題を解決するための手段】
【０００５】
前記課題を解決するために、この発明が対象とするのは、鼻腔と口許とを覆うことが可能でありフィルター機能を有する被覆部と、頭部および耳部のいずれかに掛け回すための掛けひもと、前記掛けひもを前記被覆部に取り付けるための取り付け手段とを有するマスクである。
【０００６】
かかるマスクにおいて、この発明が特徴とするところは、次のとおりである。前記取り付け手段が、四つの内角それぞれが直角である四角形の透孔を形成していて前記被覆部に設けられている保持枠部と、前記保持枠部とは別体を成しており前記被覆部の内側から外側へ向かう方向において前記透孔に挿入されると前記保持枠部と協働して前記掛けひもを前記被覆部に取り付けることが可能な挿入用ブロック部とからなる。前記保持枠部は、前記透孔を画成して互いに直交する二組の対向周壁を有するとともに、前記透孔の周囲に所要の厚さを有する。前記挿入用ブロック部は、前記透孔に挿入されたときに前記透孔から前記被覆部の外側に向かって突出する掛けひも案内部と、前記透孔の内側に位置する台座部とを有する。前記案内部は、前記台座部から前記外側に向かって突出するとともにその突出する方向に直交して一方向へ延びる一対の案内壁を有し、一対の前記案内壁は突出する基端部分において前記掛けひもの幅にほぼ等しい間隔を有する一方、前記外側に向かった先端部分が前記基端部分の前記間隔よりも小さい間隔で離間するように形成されている。前記台座部は、一対の前記案内壁が対向する方向において互いに離間するとともに、前記案内壁における前記一方向へ延びる一対の横向きの溝を有する。前記溝のそれぞれは、前記保持枠部における前記二組のうちの一方の組を成す前記対向周壁のそれぞれと向かい合うように形成された底面部と、前記所要の厚さを有する前記周壁それぞれの近傍を前記被覆部の内外方向から挟むことが可能な互いに対向する一対の側面部とを有する。一対の前記溝の前記底面部間の寸法は、前記底面部と向かい合う前記周壁どうしの間の寸法とほぼ同じに形成されており、前記台座部における前記一方向の寸法は、前記二組のうちのもう一方の組を成す前記対向周壁のそれぞれと前記台座部との間に前記掛けひもを介在させ得るように前記もう一方の組を成す前記周壁間の寸法よりも小さく形成されている。
【０００７】
この発明の好ましい実施態様の一つにおいて、前記透孔が正方形であるとともに、前記台座部が長方形であって、前記長方形における短辺が前記案内壁における前記一方向に平行している（請求項２に対応）。
【０００８】
この発明の好ましい実施態様の他の一つにおいて、前記透孔とそれに挿入される前記ブロック部とは、前記ブロック部を前記透孔の周方向へ回転させることによって前記掛けひもを頭部および耳部のいずれにも掛け回すことを可能にする（請求項３に対応）。
【０００９】
この発明の好ましい実施態様の他の一つにおいて、前記透孔と前記台座部とが長方形である（請求項４に対応）。
【００１０】
この発明の好ましい実施態様のさらに他の一つにおいて、前記保持枠部と前記ブロック部とのうちの少なくとも一方は、前記ブロック部が挿入される際に弾性変形する（請求項５に対応）。
【００１１】
この発明の好ましい実施態様のさらに他の一つにおいて、前記ブロック部が前記透孔に対して挿入抜脱可能なものである（請求項６に対応）。
【発明の効果】
【００１２】
請求項１に係るこの発明のマスクでは、掛けひもを被覆部に取り付けるための取り付け手段が保持枠部と挿入用ブロック部とからなり、保持枠部に形成された透孔にブロック部が被覆部の内側から挿入されると、ブロック部における台座部が透孔の内側に納まり、台座部に形成された溝における一対の側面部が透孔の周壁の近傍において保持枠部を被覆部の内外方向から挟むので、ブロック部が保持枠部に固定される。ブロック部が透孔に挿入される際に、掛けひもがブロック部における一対の案内壁の間に通されていると、ブロック部が保持枠部に固定されるときに、台座部と透孔を画成している周壁とで掛けひもを挟むことができて、掛けひもを被覆部に取り付けることができる。
【００１３】
請求項２に係るこの発明の態様では、透孔が正方形であるから、ブロック部は、それに形成されている溝と案内壁とが正方形の透孔に対して縦向きとなるようにも横向きとなるようにも挿入することができる。
【００１４】
請求項３に係るこの発明の態様では、透孔に挿入されるブロック部を透孔の周方向へ回転させると、９０°回転させる毎に掛けひもはマスクの横方向へ延びたり上下方向へ延びたりするように変化する。横方向へ延びる掛けひもは頭部に掛け回すことが可能になり、上下方向へ延びる掛けひもは耳部に掛け回すことが可能になる。
【００１５】
請求項４に係るこの発明の態様では、被覆部に対してブロック部の向きが常に一定となるように、ブロック部を保持枠部に取り付けることができる。
【００１６】
請求項５に係るこの発明の態様では、ブロック部と保持枠部とのうちの少なくとも一方の弾性変形下にブロック部が保持枠部の透孔に挿入されるから、ブロック部の保持枠部への取り付け作業が簡単で、挿入されたブロック部は保持枠部から外れることがない。
【００１７】
請求項６に係る態様では、掛けひもの長さを調節するときに、ブロック部を透孔から抜き取ることができる。
【発明を実施するための最良の形態】
【００１８】
添付の図面を参照して、この発明に係るマスクの詳細を説明すると、以下のとおりである。
【００１９】
図１は、マスク１の正面図である。マスク１は、着用者の鼻腔と口許とを覆う被覆部２と、着用者の頭部や頸部に掛け回すための掛けひも３と、掛けひも３を被覆部２に取り付けるための手段である連結具４とを有する。被覆部２は、例えば不織布等のフィルター機能を有するシート材料をドーム型に成形したものであって、図のマスク１は、ドーム型の凸面が正面となるように画かれている。掛けひも３は、ゴムひも、好ましくは図示の如き帯状のゴムひもからなるものであって、図では頭部の上方に掛けまわすためのものと、頭部の下方ないし頸部に掛けまわすためのものとの２条が示されている。それぞれの掛けひも３は、両端部６が連結具４に対して長さ調節可能に取り付けられている。連結具４は、被覆部２とは別体に形成されたものであって、接着、溶着、縫合等の適宜の接合手段によって被覆部２の側縁部分７に取り付けられている。
【００２０】
図２，３は、図１に示されたマスク１の部分拡大図と、連結具４の平面図とであり、図２では被覆部２が仮想線で示されている。連結具４は、支持部材１１と、支持部材１１とは別体のブロック部材１２とからなる。支持部材１１は、図１において湾曲しながら上下方向Ｂへ延びる固定部１３と、固定部１３の上下両端部に形成された支持枠部１４（図１参照）とを有し、固定部１３が、被覆部２を形成しており図２において上下方向に位置する２枚の内外シート１６，１７の間に介在している。固定部１３とこれら内外シート１６，１７とは、互いに重なり合う部分が接着、溶着、縫合等の手段によって接合することで支持部材１１が被覆部２に対して固定されている。固定部１３には、透孔１８が形成されており、この透孔１８において内外シート１６，１７が支持部材１１を介することなく互いに接合可能である。支持枠部１４には、正方形の透孔２１が形成されており、その透孔２１には、ブロック部材１２が被覆部２の内側から外側へ向かう矢印Ａ方向から挿入されている。ブロック部材１２は、被覆部２の実質的な上下方向である双頭矢印Ｂ（図１を併せて参照）で示される方向において対向する一対の案内壁２２を有する。掛けひも３は、その端部６が被覆部２の内側から透孔２１を通過して外側に向かった後に、一対の案内壁２２の間を通り、外側から内側に向かう方向において透孔２１を再び通過して図の左方へ延びている。
【００２１】
図４は、図２の分解斜視図である。支持部材１１の支持枠部１４では、正方形の透孔２１が二組の対向する周壁２６，２６と２７，２７とによって画成されており、周壁２６，２６間の寸法ｐと周壁２７，２７間の寸法ｑとが等しく、これら周壁２６，２６、２７，２７の近傍において支持枠部１４が厚さｔを有する。ブロック部材１２は、図２において透孔２１の内側に納まる台座部３１を有し、その台座部３１からは一対の案内壁２２が図の上方に向いた矢印Ａ方向へ起立している。台座部３１は、透孔２１の側壁２７に平行し、矢印Ａに直交する双頭矢印Ｃ方向、即ちマスク１の側方へ延びる一対の横向きの溝３２を有する。それぞれの溝３２は、長さがｒであって、底面３３と、図の上下方向で対向している上部側壁３４および下部側壁３６とを有し、これら上部側壁３４と下部側壁３６とが寸法ｓだけ離間している。また、一対の溝３２は、底面３３どうしの間に離間寸法ｘを有し、上部側壁３４どうしの間に寸法ｙを有し、下部側壁３６どうしの間に寸法ｚを有する。寸法ｘは透孔２１の寸法ｑとほぼ同じ、即ち寸法ｑと同じであるか、寸法ｑよりも僅かに大きいか、または寸法ｑよりも僅かに小さい。寸法ｙは、透孔２１の寸法ｑよりも僅かに大きく、寸法ｚは寸法ｙよりも大きな値を有する。一対の案内壁２２は、双頭矢印Ｃ方向へ延びており、台座部３１近傍の基端部２２ａにおいて寸法ｕだけ離間し、基端部２２ａの反対端部である頂部２２ｂにおいて寸法ｖだけ離間している。寸法ｕは、掛けひも３の幅ｎとほぼ同じに形成されていることが好ましく、寸法ｖは、案内壁２２と２２との間に納まる掛けひも３が案内壁２２どうしの間から簡単に外へ出ることがないように寸法ｕよりも小さく形成されている。帯状の掛けひも３は、厚さｍと幅ｎとを有している。
【００２２】
図４において、掛けひも３は、次のようにして連結具４に取り付けられる。まず、透孔２１の下方に掛けひも３を位置させ、掛けひも３の下方に図示の如くブロック部材１２を位置させる。掛けひも３は、その幅ｎが小さくなるように変形させてブロック部材１２の一対の案内壁２２の基端部２２ａどうしの間に納める。ついで、ブロック部材１２の案内壁２２を透孔２１に矢印Ａ方向から挿入すると、台座部３１の上部側壁３４の斜面部４１が透孔２１の周壁２７の縁部に図の下方から当接して、支持枠部１４および／または案内壁２２が弾性変形し、上部側壁３４が透孔２１を通り抜ける。すると、支持枠部１４および／または案内壁２２が元の形状に弾性的に復帰して、上部側壁３４が支持枠部１４に上方から当接する（図２参照）。それと同時に下部側壁３６が支持枠部１４に下方から当接して（後記の図６参照）、上部側壁３４と下部側壁３６とで支持枠部１４を周壁２７の近傍で挟み、ブロック部材１２が透孔２１から外れないようになる。
【００２３】
図５，６は、図２におけるＶ−Ｖ線およびＶＩ−ＶＩ線断面図であるが、掛けひも３が仮想線で示されている。図５において、ブロック部材１２の台座部３１は、透孔２１の内側に納まっている。台座部３１の寸法ｒは、透孔２１の周壁２６と２６との間の寸法ｐよりも小さくて、台座部３１とそれぞれの周壁２６との間に掛けひも３を通すことができる。これら両寸法ｐ，ｒの差は、掛けひも３をその長さ方向に引っ張ると、掛けひも３が台座部３１と周壁２６との間で動いて頭部等に掛けまわす寸法を調整することができる程度にしたり、掛けひも３を引っ張っても容易に動くことがない程度にしたりすることができる。また、図６において、ブロック部材１２の寸法ｘは、透孔２１の寸法ｑとほぼ同じであるから、ブロック部材１２は、透孔２１の内側において方向Ｂへほとんど動くことがない。ブロック部材１２の寸法ｙは、案内壁２２の透孔２１への挿入の妨げにならない程度に透孔２１の寸法ｑよりも大きく、ブロック部材１２の寸法ｚは、挿入されたブロック部材１２を透孔２１への挿入方向である方向Ａへさらに強く押しても、ブロック部材１２が透孔２１を通り抜けてしまうことがない程度に寸法ｑよりも大きく作られている。一対の案内壁２２と２２との間に納まる掛けひも３は、その幅ｎが案内壁２２の頂部２２ｂどうしの間の寸法ｖよりも大きければ、ブロック部材１２を支持枠部１４に対して着脱させるときにブロック部材１２と掛けひも３とを常に一体のものとして扱うことができる。図６の状態にあるブロック部材１２を支持枠部１４から離脱させるには、一対の案内壁２２の頂部２２ｂどうしの間の寸法ｖが小さくなるように頂部２２ｂを指先でつまみながら、ブロック部材１２を方向Ａとは反対の方向に押せばよい。
【００２４】
かような連結具４は、支持部材１１とブロック部材１２とをポリエチレン、ポリプロピレン、ナイロン等の熱可塑性プラスチックで作ることができる。
【００２５】
図７は、ブロック部材１２の使用態様の一例を示す図４と同様な図である。図示例のブロック部材１２は、図４のブロック部材１２を透孔２１の周方向へ９０°回転させてから透孔２１に挿入したものであって、一対の案内壁２２と、一対の溝３３とが支持枠部１４の周壁２６に平行して双頭矢印Ｂ方向へ延びている。支持枠部１４の透孔２１は、正方形であるから、図７のブロック部材１２もまた、透孔２１に挿入することができる。ブロック部材１２がこのように使用される連結具４では、それに取り付けられた掛けひも３が図１においておおむね上下方向Ｂへ延びるようになる。それゆえ、図１において、被覆部２の両側それぞれで上下に位置している一対の支持枠部１４に対して１本の掛けひも３を使用すると、被覆部２の両側それぞれで円弧を画く掛けひも３を得ることができて、その掛けひも３をマスク着用者の耳に掛けまわすことができる。
【００２６】
図８は、この発明の実施態様の一例を示す図４と同様な図である。この態様の連結具４では、図示例の支持枠部１４に被覆部２の上下方向Ｂに長い長方形の透孔２１が形成されており、その透孔２１に対して上下方向に長いブロック部材１２が挿入される。この透孔２１に対しては、図示のブロック部材１２を９０°回転させて挿入するということができず、このような支持枠部１４に取り付けられるブロック部材１２は、図１のそれとは異なり被覆部２に対する向きが常に一定になる。
【００２７】
図９は、この発明に係るマスク１に使用される掛けひも３の一例を示す図２と同様な図である。マスク１が使い捨てのものである場合には、マスク１を構成する材料として安価なものが好んで使用される。そのような場合の一例として、図９では掛けひも３にコールゴムが使用されている。この掛けひも３では、偶数本の芯ゴム４１がかわ糸４２によって横並びとなるように束ねられている。芯ゴム４１は天然ゴムや合成ゴムによって形成されており、かわ糸４２はレーヨンやポリプロピレン、ポリエステル等の繊維によって形成されている。掛けひも３の端部６には、隆起部４３が形成されている。このような掛けひも３は矢印Ｓで示す方向に引っ張られても、連結具４から抜けることがない。隆起部４３は、加熱された雌雄の金型で掛けひも３を挟み、その掛けひも３を部分的に変形させることによって得ることができる。ただし、芯ゴム４１は、金型で加熱、加圧されることによって劣化したり、局部的に高い伸長割合で伸長されたりして、引張り強度が低下するということもあるから、図示例の掛けひも３では、隆起部４３を形成する際に、少なくとも両側部の芯ゴム４１だけは元のコールゴムのときの形態で残るように、つまり加熱、加圧されて隆起部４３の一部となるということがないようにしてある。このような掛けひも３は、両側部の芯ゴム４２によって、高い引張り強度を維持することができる。
【産業上の利用可能性】
【００２８】
この発明によれば、掛けひもを被覆部に取り付けることが容易なマスクを製造することができる。
【図面の簡単な説明】
【００２９】
【図１】マスクの正面図。
【図２】マスクの部分斜視図。
【図３】保持部材の平面図。
【図４】連結具の分解斜視図。
【図５】図２のＶ−Ｖ線断面図。
【図６】図２のＶＩ−ＶＩ線断面図。
【図７】ブロック部材の使用態様の一例を示す図４と同様な図。
【図８】発明の実施態様の一例を示す図４と同様な図。
【図９】掛けひもの一態様を示す図２と同様な図。
【符号の説明】
【００３０】
１    マスク
２    被覆部
３    掛けひも
４    連結具
１２    ブロック部材
１４    支持枠部
２１    透孔
２２    案内壁
２２ａ    基端部
２６    周壁
２７    周壁
３１    台座部
３２    溝
３４    底面
３４ａ    側面（上方）
３４ｂ    側面（下方）
【図１】
2006346269.tif 000003
【図２】
2006346269.tif 000004
【図３】
2006346269.tif 000005
【図４】
2006346269.tif 000006
【図５】
2006346269.tif 000007
【図６】
2006346269.tif 000008
【図７】
2006346269.tif 000009
【図８】
2006346269.tif 000010
【図９】
2006346269.tif 000011